(57)【要約】【課題】磁気センサの増減に柔軟に対応できると共に処理回路も単純化できる新規な遊技機の磁気検出システムの提供。【解決手段】  遊技盤の所定の位置にそれぞれ設置される複数の磁気センサモジュールを有する磁気検出部と、この磁気検出部から出力される電圧によって断線もしくは磁気の有無を判定する断線・磁気判定部とを備える。磁気検出部は、断線もしくは磁気を検出しないときは電源を出力供給し、断線もしくは磁気を検出したときには電源を出力供給しない。断線・磁気判定部は、前記磁気検出部から電源が出力供給されているときは、正常であると判定し、前記磁気検出部から電源が出力供給されなくなったときは、異常であると判定する。これによって、磁気センサの増減に柔軟に対応できると共に処理回路も単純化できる。【選択図】図４
2014230967.tif 000002
【特許請求の範囲】
【請求項１】
遊技球が入球することで所定の遊技球が払い出される入賞口が設けられる遊技盤と、
前記遊技盤の複数の所定箇所に磁気センサモジュールを有する磁気検出部と、
当該磁気検出部から出力供給される電源によって前記いずれかの磁気センサモジュールの断線もしくは磁気の有無を判定する断線・磁気判定部とを備え、
前記磁気検出部は、断線もしくは磁気を検出しないときは前記断線・磁気判定部に電源を出力供給し、断線もしくは磁気を検出したときには前記断線・磁気判定部に電源を出力供給しないようになっており、
前記断線・磁気判定部は、前記磁気検出部から電源を出力供給されているときは、断線もしくは磁気が検出されないと判定し、前記磁気検出部からの電源が出力供給されなくなったときは、断線もしくは磁気が検出されたと判定することを特徴とする遊技機の磁気検出システム。
【請求項２】
請求項１に記載の遊技機の磁気検出システムにおいて、
前記磁気センサモジュールは、所定の入賞口近傍に設けられたことを特徴とする遊技機の磁気検出システム。 
【発明の詳細な説明】
【技術分野】
【０００１】
本発明は、パチンコ機などの遊技機における磁石（磁力）による不正行為などを検出するための遊技機の磁気検出システムに関する。
【背景技術】
【０００２】
従来のパチンコ機には、磁石（磁力）を用いた不正行為を検出するためにその遊技盤の入賞口近傍などに磁気センサが埋め込まれており、遊技中に異常な磁気を検出したときには、その検出信号をホールコンピュータなどに出力している。
しかし、このような構成にあっては、その磁気センサと磁気検知回路部との接続が偶発的または意図的に切断されることによって磁気検出機能を喪失した場合には、磁石を用いた不正行為を検出できないという欠点がある。
【０００３】
そのため、例えば以下の特許文献１では、磁石による不正行為のみならず磁気センサと磁気検知回路部との接続が切断されることによる磁気検出機能の喪失も検出できる不正時期検知センサを提案している。
この従来装置は、磁気センサと、磁気検知回路部と、これらの接続状態を検知する接続確認回路部と、報知器（表示灯）とを有している。そして、正常時つまり磁気センサと磁気検知回路部とが接続されているときは表示灯が常時点灯しているが、その接続が絶たれるとその表示灯が消灯することで磁気センサと磁気検知回路部との接続が切断されたことを検出している。
【先行技術文献】
【特許文献】
【０００４】
【特許文献１】特開２００５−１３７８７７号公報
【発明の概要】
【発明が解決しようとする課題】
【０００５】
しかし、前述したような従来装置は、複数の磁気センサによって磁気を検知する場合、その磁気検知回路部を備えた基板（主制御基板）に、その磁気センサの数に応じたコネクタ（接続部）を用意しなければならず、その基板の共通化を阻害する要因となっている。
さらに、このように複数の磁気センサによって磁気を検知する場合には、例えば図９に示すように各磁気センサごとにコンパレータ（比較器）などの回路素子を多数用いなければならないため、処理回路が複雑となり、コストアップを招くと共にその小型化や省電力化が難しいといった問題がある。
【０００６】
図１０は、このように複数の磁気センサによって磁気を検知する場合の磁気検知回路部の一例を示した回路構成図である。図において、符号Ｃ１〜Ｃ４は、主制御基板などに設けられたコネクタであり、それぞれ図示しない汎用の機械式あるいは磁気抵抗効果素子などからなる磁気センサを着脱自在に接続する。そして、これら各コネクタＣ１〜Ｃ４には、磁気検出用のコンパレータと断線検出用のコンパレータがそれぞれ一対ずつ（合計８つ）設けられており、いずれかの磁気センサが磁力を検出したときのみならず、いずれかの磁気センサが断線されたときには、その断線信号が主制御基板（の接続確認回路部）に出力される構造となっている。
【０００７】
従って、この図からも分かるように従来装置は予め接続できる磁気センサが決まっているため、さらの多くの磁気センサを備えるためには、その数に見合ったコネクタやコンパレータなどの処理回路を用意しなければならないといった不都合がある。
そこで、本発明はこのような課題を解決するために案出されたものであり、その主な目的は、磁気センサの増減に柔軟に対応できると共に処理回路も単純化できる新規な遊技機の磁気検出システムを提供するものである。
【課題を解決するための手段】
【０００８】
前記課題を解決するために第１の発明は、
遊技球が入球することで所定の遊技球が払い出される入賞口が設けられる遊技盤と、前記遊技盤の複数の所定箇所に磁気センサモジュールを有する磁気検出部と、当該磁気検出部から出力供給される電源によって前記いずれかの磁気センサモジュールの断線もしくは磁気の有無を判定する断線・磁気判定部とを備え、前記磁気検出部は、断線もしくは磁気を検出しないときは前記断線・磁気判定部に電源を出力供給し、断線もしくは磁気を検出したときには前記断線・磁気判定部に電源を出力供給しないようになっており、前記断線・磁気判定部は、前記磁気検出部から電源を出力供給されているときは、断線もしくは磁気が検出されないと判定し、前記磁気検出部からの電源が出力供給されなくなったときは、断線もしくは磁気が検出されたと判定することを特徴とする遊技機の磁気検出システムである。
【０００９】
第２の発明は、
第１の発明において、前記磁気センサモジュールは、所定の入賞口近傍に設けられたことを特徴とする遊技機の磁気検出システムである。
【発明の効果】
【００１０】
第１の発明によれば、磁気検出部が、断線もしくは磁気を検出しないときは電源の出力供給をし、断線もしくは磁気を検出したときには電源の出力供給を停止することから、断線・磁気判定部は、その磁気検出部から電源の出力供給の有無を検知するだけで、磁気は勿論いずれかの磁気センサモジュールの断線も確実に検出できる。また、断線もしくは磁気の有無を判定するための処理回路も単純化できる。
【図面の簡単な説明】
【００１１】
【図１】本発明に係るパチンコ遊技機１００の一例を示す外観斜視図である。
【図２】遊技盤１８の一例を示す正面図である。
【図３】本発明に係るパチンコ遊技機１００の内部制御構成を示すブロック図である。
【図４】本発明に係る磁気検出システムを構成する磁気検出部９００の第１の実施形態を示す構成図である。
【図５】本発明の第１の実施形態に係る磁気検出部９００を構成する磁気センサモジュールＭの回路構成図である。
【図６】本発明の第１の実施形態に係る磁気検出部９００を構成する磁気センサモジュールＭの回路構成図の他の例である。
【図７】本発明に係る磁気検出システムを構成する磁気検出部９００の第２の実施形態を示す構成図である。
【図８】本発明の第２の実施形態に係る磁気検出部９００を構成する磁気センサモジュールＭの回路構成図である。
【図９】本発明に係る磁気検出システムを構成する磁気検出部９００の第２の実施形態の変形例を示す構成図である。
【図１０】従来の磁気検出装置の一例を示す回路構成図である。
【発明を実施するための形態】
【００１２】
以下、本発明を実施するための最良の形態を添付図面を参照しながら詳述する。
（基本構成）
図１は、本発明に係る遊技機１００の実施の一形態を示した外観斜視図である。
図示するようにこの遊技機１００は、いわゆるデジパチなどと称されるパチンコ機であり、縦長矩形状をした外枠１０とヒンジ機構１２により蝶着された内枠１４の正面上部には、開閉自在なガラス枠ユニット１６で覆われた遊技盤１８が設けられている。
【００１３】
この遊技盤１８とガラス枠ユニット１６の間には、図２に示すように案内レール２０によって区画された円形状の空間である遊技領域２２が形成されている。そして、発射装置（発射ハンドル）２４から案内レール２０を介して遊技領域２２内上部に打ち込まれた遊技球がその自重によってその遊技領域２２内を落下して遊技盤１８底部に設けられたアウト口２６から遊技領域２２外（遊技盤１８後方）へ排出されると共に、他の遊技球の一部がその遊技盤１８に形成された各種入賞口に入賞するようになっている。この各種入賞口に遊技球が入賞すると、その入賞球数に応じた数の賞球（１個〜１５個）がその遊技領域２２の下部に設けられた受皿ユニット２８側へ次々と払い出される。
【００１４】
また、図２に示すようにこの遊技盤１８の中央部には、液晶ディスプレイ（ＬＣＤパネル）からなる大型の演出図柄表示器３０が設けられており、その下部に設けられた入賞装置３２へ遊技球が入賞したときに行われる大当たり（特賞）の抽選結果に対応する所定の演出図柄などを所定の表示モードによって適宜変動表示するようになっている。
また、この入賞装置３２は、固定式の第１始動入賞口３２ａと、その下部に位置する可動式の第２始動入賞口３２ｂとから構成されている。
【００１５】
すなわち、この入賞装置３２は、遊技盤１８上にネジなどによって固定される固定板３５の中央上部に第１始動入賞口３２ａが設けられていると共に、その直下に第２始動入賞口３２ｂが設けられた構造となっており、その近傍を落下する遊技球の一部がその近傍に打ち込まれた釘や役物（図示せず）などに誘導されてそれぞれ適宜入賞可能となっている。
この第１始動入賞口３２ａは、図示するようにいわゆるヘソなどと称される常時上向きに開口した遊技球入口であり、その直上に位置する釘同士の間隔や角度などを適宜調節することによって予めその入賞（入球）確率が調整可能となっている。
【００１６】
一方、第２始動入賞口３２ｂは、いわゆる電チュー（電動チューリップ）などと称される入賞確率可変な電動役物（可動部材）３６から構成されており、前記案内レール２０の近傍に設けられた普通図柄始動ゲート３４を遊技球が通過する際に行われる普通図柄の抽選結果に応じて開閉動作してこの第２始動入賞口３２ｂ（入賞装置３２）への遊技球の入賞確率をコントロールする。なお、この第２始動入賞口３２ｂが非作動状態のときは、その電動役物（可動部材）が停止した（閉じた）状態となっており、その第２始動入賞口３２ｂへ遊技球が入賞できないようになっている。
【００１７】
また、この入賞装置３２の下部には、矩形板状の開閉蓋３８で塞がれた大入賞口４０が形成されている。そして、この入賞装置３２への遊技球の入賞を契機に行われた大当たりの抽選で当選したときに、その開閉蓋３８を所定時間、所定回数、開閉動作を繰り返すことでその遊技領域２２内を落下する遊技球を捕捉して入賞させる。
また、この大入賞口４０の近傍には、特別図柄表示器４２が設けられており、入賞装置３２への遊技球の入賞を契機として行われる大当たりの抽選結果を７セグメントＬＥＤなどからなる表示器によって数値やアルファベットなど用いて表示する。
【００１８】
また、演出図柄表示器３０の近傍には、普通図柄表示器４４と入賞保留ランプ４６が設けられている。普通図柄表示器４４は、前記普通図柄始動ゲート３４を遊技球が通過する際に行われる普通図柄の抽選結果を同じく７セグメントＬＥＤなどの表示器を用いて表示する。入賞保留ランプ４６は、入賞装置３２への遊技球の入賞保留球数を例えば複数のＬＥＤの明滅によって表示するものであり、通常４個（最大で８個）の入賞保留球数を表示する。
なお、図２中符号４８は遊技球の一部が入賞可能な各種入賞口、５０，５０は、この遊技盤１８を内枠１４側に対して脱着するための取付部である。また、図示していないが、この遊技盤１８上には、これを落下する遊技球の流れを制御するための釘が多数打ち込まれている。
【００１９】
一方、図１に示すようにこの遊技盤１８を覆うガラス枠ユニット１６の周囲には、電球やＬＥＤなどからなる様々な色彩の表示ランプ（表示灯）５２、５２が設けられている。そして、これらの表示ランプ（表示灯）５２、５２は、遊技中の演出や機器の状態（例えば、機器のエラーやガラス枠ユニット１６などの開閉状態）などとリンクして点灯または点滅する。
さらに、このガラス枠ユニット１６の左右上角部や受皿ユニット２８の下部中央には、それぞれフルレンジスピーカーユニット５４、５４やサブウーファーユニット５６が設けられており、遊技中の効果音やエラー音などの他、後述するデモンストレーションの際の効果音などを迫力のある重低音および高音質で発する。
【００２０】
また、この遊技盤１８の下方の受皿ユニット２８には、図示しない貸玉装置から供給された遊技球や払い出された賞球を一時的に保留して遊技球を発射装置２４に順次供給する。  なお、図１中符号５８は、図示しない貸玉装置から遊技球を供給するための操作ボタン（玉貸ボタンおよびカード返却ボタン）、６０は、遊技中に遊技者が押下操作（プッシュ）することで効果音や演出図柄表示器３０で表示される演出などに参加可能なプッシュボタンである。
【００２１】
次に、このような構成をした本発明の遊技機１００の制御系の構成を説明する。
図３は本発明の遊技機１００の制御系の構成を示すブロック図である。
図示するように、この遊技機１００の制御系は、主制御部２００と、複合サブ制御部３００といった２つの制御部から主に構成されている。
主制御部２００は、遊技全体の制御を行うと共に、前述した入賞装置３２の始動入賞口３２ａ、３２ｂへの遊技球の入賞検出に基づいて内部で発生させた乱数に応じて複合サブ制御部３００へ制御コマンドを送信する。また、複合サブ制御部３００は、主制御部２００から送信される制御コマンドに応じて演出図柄表示部４００の制御や効果音などの演出を複合的に制御するものである。
【００２２】
この主制御部２００は、ＣＰＵ２１０、ＲＯＭ２２０、ＲＡＭ２３０、タイマ２４０、入力ポート２５０および出力ポート２６０と、ＲＯＭ２２０に格納された各種の遊技制御プログラムや各種の制御用データとから主に構成されている。
入力ポート２５０には、前述した入賞装置３２の各始動入賞口３２ａ、３２ｂへの遊技球の入賞を検出する始動入賞口スイッチ２５１と、大入賞口４０への遊技球の入賞を検出する大入賞口スイッチ２５２と、各種入賞口４８への遊技球の入賞などを検出する各種入賞口スイッチ２５３などが接続されており、主制御部２００は、これら各スイッチからの検出信号を入力して処理する。
【００２３】
また、この入力ポート２５０には、本発明に係る磁気検出システムを構成する磁気検出部９００が接続されており、後に詳述する磁気検出信号などを主制御部２１０に入力する。なお、この入力ポート２５０はコネクタ接続方式となっており、主制御部２００を構成する基板上に予め設けられた図示しないコネクタに対して各種入賞口スイッチ２５１，２５２，２５３および磁気検出部９００の接続端子がそれぞれ着脱自在に接続される。
【００２４】
一方、出力ポート２６０には、この複合サブ制御部３００の他、前述した特別図柄表示器４２と、普通図柄表示器４４と、賞球払出制御装置５００と、大入賞口ソレノイド６００と、ホールコンピュータ７００などが接続されており、主制御部２００は、所定の制御プログラムに従ってこれらを直接制御する。
ＲＯＭ２２０には、前述したようにＣＰＵ２１０で実行されるパチンコ機を制御するためのプログラムの他、さらに複合サブ制御部３００などを制御するための各種制御コマンドなどの各種制御用のデータが読み出し自在に記憶・保持されている。また、特に本実施の形態にあっては、磁気検出部９００からの入力信号の有無によって、磁気の検出や磁気検出部９００の断線の有無などを判断するための制御プログラムも含まれる。
【００２５】
ＲＡＭ２３０は、この主制御部２００に対する入出力データや演算処理のためのデータ、遊技に関連する乱数カウンタを始めとする各種カウンタなどを一時記憶し、および各保留球の情報を記憶する保留メモリを有する。
また、この主制御部２００は、複合サブ制御部３００に主に演出用の制御コマンドを送信して複合サブ制御部３００を制御する。
【００２６】
また、この主制御部２００には、電源供給を行うための電源回路８００が接続されている。この電源回路８００は、主制御部２００全体に供給されていた電源ラインの電圧が所定の電圧値以下になったことを検出したときは、電源が遮断された旨を示す電源断検出信号をＣＰＵ２１０に出力する。そして、電源断が検出された場合は、主制御部２００全体に供給されていた電源ラインから電源断に伴ってＣＰＵ２１０に直接つながる電源ラインに切り替えられる。これにより、ＲＡＭ２３０には、ＣＰＵ２１０に直接つながる電源ラインから電源が供給されるので停電などが起きても情報を保持することができる。
複合サブ制御部３００は、主制御部２００と同様に、図示しないＣＰＵ、ＲＯＭ、ＲＡＭ、入力ポートおよび出力ポートを備えたものであり、主制御部２００から送信される演出制御用の制御コマンドを受信し、その制御コマンドに従って演出表示用の制御コマンドを生成し、生成した制御コマンドを演出図柄制御部４００に送信して演出図柄表示器３０を制御する。
【００２７】
また、この複合サブ制御部３００は、少なくとも２つのチャネルを有し各チャネルの合成音をスピーカー５４，５６から出力するための音声制御を行う音声制御部３２０と、電飾用ランプ５２を点灯させるランプ制御を行うランプ制御部３１０とを備えており、演出図柄表示器３０に表示される演出図柄の表示パターンなどに合わせて所定の効果音や電飾を複合的に制御する。
【００２８】
（第１の実施形態）
次に図４〜図６は、このような遊技機１００に適用される磁気検出システムの第１の実施の形態を示したものである。
（構成）
図示するようにこの磁気検出システムは、複数の磁気センサモジュールＭ（Ｍ１、Ｍ２、…ＭＮ）を有する磁気検出部９００と、この磁気検出部９００から出力される電圧によって断線もしくは磁気の有無を判定する断線・磁気判定部９５０とから主に構成されている。
先ず磁気検出部９００は、少なくとも２つ以上の複数の磁気センサモジュールＭ１、Ｍ２、…ＭＮを直列に多段接続（カスケード接続）してなるものであり、最終段の磁気センサモジュールＭＮがコネクタＣ（入力ポート２５０）を介して主制御基板２００側の断線・磁気判定部９５０に着脱自在に接続されている。
【００２９】
図５は、これらの各磁気センサモジュールＭ１、Ｍ２、…ＭＮの回路構成を示したものであり、その回路構成はいずれも同じである。
この磁気センサモジュールＭは、磁気センサ９１０と、第１のトランジスタＴＲ１と、第２のトランジスタＴＲ２と、定電圧回路９２０とから主に構成されている。
この磁気センサ９１０は、例えば磁気抵抗効果素子などからなり、所定値以上の磁気を検出しないときは所定の電圧（例えば、５Ｖ）を出力し、所定値以上の磁気を検出したときには電圧を出力しない（０Ｖ）ようになっている。具体的には、アルプス電気株式会社製のＨＧＤＦＰＡシリーズなどで採用されている常時電圧出力型の高精度磁気センサを用いることができる。
【００３０】
第１のトランジスタＴＲ１は、ベースが磁気センサ９１０の出力端に接続されたＮＰＮ型トランジスタから構成されており、そのベースに対して磁気センサ９１０から所定の電圧が出力されているときにはオンしてコレクタからエミッタ側（ＧＮＤ）に電流を流すと共に、磁気センサ９１０からの出力電圧が停止したときにはオフしてその電流の流れを停止する。
第２のトランジスタＴＲ２は、ベースが前記第１のトランジスタＴＲ１のコレクタ側に接続され、エミッタが電圧源（≒ＶＤＤ）に接続され、コレクタが開放（ＶＯＵＴ）したＰＮＰ型トランジスタから構成されており、第１のトランジスタＴＲ１がオンしているときにオンしてＶＯＵＴ側に略電源電圧（≒ＶＤＤ）を出力供給すると共に、第１のトランジスタＴＲ１がオフしたときにオフしてその略電源電圧（≒ＶＤＤ）の出力供給を遮断する。ここで、略電源電圧（≒ＶＤＤ）とは、ＶＤＤから第２のトランジスタＴＲ２のエミッタ−コレクタ間の電圧を差し引いた値となり、通常ＶＤＤ−０．２Ｖ程度である。
【００３１】
定電圧回路９２０は、ツェナーダイオードＺＤ１や抵抗Ｒ１およびトランジスタＴＲ３、コンデンサなどからなる公知の回路であり、例えば電源電圧（ＶＤＤ）が１２Ｖであるときにこれを磁気センサ９１０が動作する５Ｖに変圧して磁気センサ９１０に出力する。なお、この定電圧回路９２０としては、図６に示すようなツェナーダイオードＺＤ１と抵抗Ｒ１とからなる簡易的な構成であっても良い。また、一般的な三端子レギュレータを用いても良い。
【００３２】
一方、断線・磁気判定部９５０は、コネクタＣを介して主制御基板２００側に備えられた発光ダイオードＬＥＤ（発光素子）とフォトトランジスタＴＲ４（受光素子）とからなるフォトカプラーＰＣと、主制御基板２００に搭載したＣＰＵ２１０などから構成されており、フォトカプラーＰＣからの出力信号のオン−オフによってＣＰＵ２１０が磁気検出部９００の断線および磁気の有無を判定する。
ここで、遊技機１００に対する、これら各磁気センサモジュールＭ１、Ｍ２、…ＭＮの具体的な設置箇所としては特に限定されるものではないが、例えば前述したような遊技盤１８中央に設けられた入賞装置３２の第１始動入賞口３２ａや第２始動入賞口３２ｂの近傍や各種入賞口４８，大入賞口４０の近傍などにそれぞれ設置することになる。また、これら各磁気センサモジュールＭ１、Ｍ２、…ＭＮのうち、初段の磁気センサモジュールＭ１の電源にショート保護用の抵抗を入れても良い。
【００３３】
（動作）
次に、このような構成をした本発明に係る磁気検出システムの動作を説明する。
先ず、通常時すなわち磁気検出部９００を構成する複数の磁気センサモジュールＭの断線および所定値以上の磁気が検出されない状態のときは、磁気検出部９００の初段側から供給される電源電圧（ＶＤＤ）がそのまま磁気センサモジュールＭの出力端（ＶＯＵＴ）から次段の磁気センサモジュールＭの電源へ順次出力供給される。そして、最終段の磁気センサモジュールＭＮから出力供給された電源は、コネクタＣを介してフォトカプラーＰＣに出力されて発光ダイオードＬＥＤを発光させる。
これによって、フォトカプラーＰＣから受信信号がＣＰＵ２１０に対して常時オン出力されるため、主制御基板２００側の断線・磁気判定部９５０は、磁気検出部９００において、複数の磁気センサモジュールＭ１、Ｍ２、…ＭＮのいずれも断線および所定値以上の磁気が検出されない正常な状態であると判定する。
【００３４】
これに対し、異常時すなわち磁気検出部９００を構成する複数の磁気センサモジュールＭ１、Ｍ２、…ＭＮのいずれか１つでも断線または所定値以上の磁気を検出したときは、その磁気センサモジュールＭの出力端（ＶＯＵＴ）からは電源が出力供給されなくなってフォトカプラーＰＣの発光ダイオードＬＥＤが消灯する。例えば、遊技者などが遊技中に不正の目的で遊技盤１８の入賞口付近に磁石などを近づけた場合には、磁気センサ９１０がこれを検知して第１のトランジスタＴＲ１への電圧出力を停止するため、ＶＯＵＴから電源が出力供給されなくなる。また、偶然あるいは意図的にいずれか１つの磁気センサモジュールＭが抜かれることによって断線が生じた場合にもそれよりも下段の磁気センサモジュールＭへ電源が出力供給されなくなる。
【００３５】
これによって、フォトカプラーＰＣからＣＰＵ２１０へのオン状態の入力信号が途絶えるため、主制御基板２００側の断線・磁気判定部９５０は、磁気検出部９００において、複数の磁気センサモジュールＭ１、Ｍ２、…ＭＮのいずれかに断線または所定値以上の磁気が検出された異常な状態であると判定する。
そして、断線・磁気判定部９５０は、このような異常な状態であると判定した場合には、出力ポート２６０を介してホールコンピュータ７００などにその旨の信号を出力したり、あるいは警報音を発したり、遊技を中断したりなどの妥当な処理を行うことになる。
【００３６】
このように本発明の磁気検出システムは、磁気検出部９００が、通常時（正常時）はＶＤＤ−０．２×Ｎの電圧を出力供給し、断線が発生したときもしくは磁気を検出したときには電圧が出力されなくなることから、断線・磁気判定部９５０は、その磁気検出部から電圧の出力の有無を検知するだけで、磁気は勿論いずれかの磁気センサモジュールＭの断線も確実に検出できる。また、断線の有無および磁気を判定するための処理回路も単純化できる。
【００３７】
また、本実施の形態によれば、磁気検出部９００が、磁気センサモジュールＭを複数直列に接続し、最終段の磁気センサモジュールＭＮを断線・磁気判定部９５０に接続してなるものであるため、磁気センサモジュールＭの数に係わらず、磁気センサモジュールＭと断線・磁気判定部９５０との接続部（コネクタＣ）が原則として１つで済むことになる。これによって、磁気センサモジュールＭの数ごとにコネクタＣを用意する必要がなくなるため、コストの削減と基板の共通化などを図ることができる。また、磁気センサ９１０の増減に対しても的確に対応できる。
なお、本実施の形態において多段接続（例えばＮ段）した場合、最終段の出力供給される電圧は、ＶＤＤ−ＶＣＥ（ＴＲ２）×Ｎとなり、Ｎ段分のＴＲ２のＶＣＥの電圧降下が生じるが、これが定電圧部９０および断線・磁気検出部９００を正常に作動させる範囲であればその範囲で多段接続が可能である。
【００３８】
（第２の実施形態）
次に図７および図８は、本発明に係る磁気検出システムの第２の実施の形態を示したものである。
（構成）
本実施の形態は、前述した磁気検出部９００として前記第１の実施の形態の構成とは異なり、図７に示すようにオープンコレクタ型の磁気センサモジュールＭ１、Ｍ２、…、ＭＮを複数並列に接続し、これら磁気センサモジュールＭ１、Ｍ２、…、ＭＮのいずれか１つがオフしたときにオンして前記断線・磁気判定部９５０への電源電圧の出力を停止するトランジスタＴＲ５を備えたものである。
【００３９】
図８は、これらオープンコレクタ型の磁気センサモジュールＭの回路構成を示したものである。
この磁気センサモジュールＭは、第１の実施形態と同様に磁気抵抗効果素子などからなる常時電力出力型の磁気センサ９１０と、トランジスタＴＲ６と、定電圧回路９２０とから主に構成されている。
トランジスタＴＲ６は、ベースが磁気センサ９１０の出力端に接続されたＮＰＮ型トランジスタから構成されており、磁気センサ９１０からベースに所定の電圧が出力されているときにはオンしてコレクタからエミッタ側（ＧＮＤ）に電流を流すと共に、磁気センサ９１０からの出力電圧が停止したときにはオフしてその電流の流れを停止する。
【００４０】
そして、このトランジスタＴＲ６のコレクタがオープン（ＶＯＵＴ）となっており、図７に示すように抵抗Ｒ１を介して電源電圧（ＶＤＤ）側に接続されている。
また、さらにこのトランジスタＴＲ６のコレクタ側には、異常モニタ用のＬＥＤと逆流防止用のダイオードＤが接続されていると共に、そのダイオードＤの端部は、他のダイオードＤと共に合流してダイオードＯＲ回路を形成し、トランジスタＴＲ５のベースに接続されている。
そして、このトランジスタＴＲ５は、そのコレクタとエミッタがそれぞれコネクタＣをバイパスするようにしてＶＤＤとＧＮＤ間に接続されている。
【００４１】
（動作）
次に、このような構成をした磁気検出部９００の動作を説明する。
先ず、通常時すなわち磁気検出部９００を構成する複数の磁気センサモジュールＭ１、Ｍ２、…、ＭＮの断線および所定値以上の磁気の検出がなされない状態のときは、各磁気センサモジュールＭ１、Ｍ２、…、ＭＮのトランジスタＴＲ６が磁気センサ９１０からの出力電圧によってオンしているため、抵抗Ｒを通過した電流がコレクタからエミッタ側に流れることになる。この結果、異常モニタ用のＬＥＤやダイオードＤ側の電圧が０Ｖとなるため、トランジスタＴＲ５のベースには電圧が入力されずオフ状態となる。従って、電源電圧（ＶＤＤ）がそのままコネクタＣを介してフォトカプラーＰＣに出力されて発光ダイオードＬＥＤを発光させる。
【００４２】
これによって、フォトカプラーＰＣから受信信号がＣＰＵ２１０に対して常時オン出力されるため、主制御基板２００側の断線・磁気判定部９５０は、磁気検出部９００において、複数の磁気センサモジュールＭの断線および所定値以上の磁気が検出されない正常な状態であると判定する。
これに対し、異常時すなわち磁気検出部９００を構成する複数の磁気センサモジュールＭ１、Ｍ２、…、ＭＮのいずれか１つでも断線または所定値以上の磁気を検出したときは、そのトランジスタＴＲ６へ磁気センサ９１０からの出力電圧がなくなってオフするため、抵抗Ｒを通過した電流が異常モニタ用のＬＥＤやダイオードＤ側に流れる。すると、トランジスタＴＲ５のベースには電圧がかかってオン状態となり、コネクタＣ側の電源電圧（ＶＤＤ）がコネクタＣをバイパスしてトランジスタＴＲ５側に流れる。
【００４３】
これによって、フォトカプラーＰＣの発光ダイオードＬＥＤが消灯してフォトカプラーＰＣからＣＰＵ２１０への入力信号が途絶えるため、主制御基板２００側の断線・磁気判定部９５０は、磁気検出部９００において、複数の磁気センサモジュールＭのいずれかに断線または所定値以上の磁気が検出された異常な状態であると判定する。
そして、断線・磁気判定部９５０は、このような異常な状態であると判定した場合には、前記第１の実施形態と同様に出力ポート２６０を介してホールコンピュータ７００などにその旨の信号を出力するといった妥当な処理を実施する。
【００４４】
このように本実施の形態によっても、前記第１の実施の形態と同様に、磁気検出部９００が、磁気センサモジュールＭのいずれかが断線もしくは磁気を検出しないときは電圧を出力し（オン動作）、断線もしくは磁気を検出したときには電圧を出力しない（オフ動作）ことから、断線・磁気判定部９５０は、その磁気検出部から電圧の出力の有無を検知するだけで、磁気は勿論いずれかの磁気センサモジュールＭの断線も確実に検出できる。また、断線の有無および磁気を判定するための処理回路も単純化できる。
【００４５】
また、磁気検出部９００が、磁気センサモジュールＭを複数並列に接続してなるものであるため、磁気センサモジュールＭと断線・磁気判定部９５０との接続部（コネクタＣ）が原則として１つで済むことになる。これによって、磁気センサモジュールＭの数ごとにコネクタを用意する必要がなくなるため、コストの削減と基板の共通化などを図ることができる。また、磁気センサ９１０の増減に対しても的確に対応できる。
さらに、本実施の形態にあっては、各磁気センサモジュールＭ１、Ｍ２、…、ＭＮを並列に接続することで直列に接続したときのような電圧降下が殆どみられなくなるため、第１の実施形態に比べてより多くの磁気センサモジュールＭ１、Ｍ２、…、ＭＮを備えることが可能となる。
【００４６】
また、本実施の形態では、各磁気センサモジュールＭ１、Ｍ２、…、ＭＮのコレクタ側の発光ダイオードＬＥＤは省略することができるが、このような発光ダイオードＬＥＤを設けておけば、通常時はこれが消灯し、断線もしくは磁気が検出したときにこれが発光するため、その発光状態を目視するだけでどの磁気センサモジュールＭに異常が発生したのかを一目で把握することが可能となる。
また、この磁気センサモジュールＭとして汎用（市販）のオープンコレクタタイプの磁気センサを用いることができるため、システム全体の製造コストも低く抑えることが可能となる。
【００４７】
また、本実施の形態では各磁気センサモジュールＭ１、Ｍ２、…、ＭＮごとにダイオードＤを設け、１つのトランジスタＴＲ５を設けたが、このトランジスタＴＲ５を複数設けるようにしても良い。この場合は、複数個のコレクタ側を従来のトランジスタＴＲ５のコレクタと同じ位置で直接ＯＲ結線すればよい。このようにすれば磁気センサモジュールＭの数が多くなったときに回路定数の設計が容易になる。
さらには、図９に示すように各磁気センサモジュールＭ１、Ｍ２、…、ＭＮごとにトランジスタを配するようにしてもよい。このように１つの磁気センサモジュールＭに１つのトランジスタを対になるように配することにより、ダイオードが不要となり、ダイオードＯＲでなく、トランジスタＯＲ（トランジスタから見た論理はＮＯＲ）回路となる。
このようにすれば図９に示すように複数のトランジスタを１パッケージに纏めたトランジスタアレイ（ＴＲアレイ）ＩＣを用いることができ、回路構成がすっきりし、部品点数を減らすことができる。
【符号の説明】
【００４８】
１００…遊技機
９００…磁気検出部
９１０…磁気センサ
９２０…定電圧回路
９５０…断線・磁気判定部
ＴＲ１…第１のトランジスタ（ＮＰＮ）
ＴＲ２…第２のトランジスタ（ＰＮＰ）
ＴＲ３…トランジスタ
ＴＲ４…フォトトランジスタ
ＴＲ５、ＴＲ６…トランジスタ
ＰＣ…フォトカプラー
ＬＥＤ…発光ダイオード
ＺＤ１…ツェナーダイオード
Ｃ…コネクタ
Ｄ…ダイオード 
【図１】
2014230967.tif 000003
【図２】
2014230967.tif 000004
【図３】
2014230967.tif 000005
【図４】
2014230967.tif 000006
【図５】
2014230967.tif 000007
【図６】
2014230967.tif 000008
【図７】
2014230967.tif 000009
【図８】
2014230967.tif 000010
【図９】
2014230967.tif 000011
【図１０】
2014230967.tif 000012